(57)【特許請求の範囲】
【請求項１】
純金と、純銀との合金からなる顔面被覆用金箔であって、
９４％以上の純金と、６％未満の純銀とからなる２２金、
又は９６％以上の純金と、４％未満の純銀とからなる２３金、
又は９９．９９％以上の純金と、０．０１％未満の純銀とからなる２４金を材料とする、
ことを特徴とする顔面被覆用金箔において、
前記顔面被覆用金箔を３枚使用して顔面を被覆し、
うち１枚の前記顔面被覆用金箔は略２／３と略１／３とにカットし、
カットしない２枚の前記顔面被覆用金箔のうち１枚により、顔面の一方の目より下を被覆し、
カットしない前記顔面被覆用金箔の残り１枚により、顔面の他方の目より下を被覆し、
略２／３にカットした前記顔面被覆用金箔により、顔面の両目の上から額を被覆し、
略１／３にカットした前記顔面被覆用金箔により、顔面の残りの部分を被覆する、
ことを特徴とする顔面被覆用金箔の使用方法。
【請求項２】
前記顔面被覆用金箔の厚さ寸法が、１／１００００［ｍｍ]〜２／１００００［ｍｍ]の範囲内にある、
ことを特徴とする請求項１に記載の顔面被覆用金箔の使用方法。
【請求項３】
前記顔面被覆用金箔を使用後、顔面から取り除いた該金箔をコラックス状のクリームに練り込んでクリーム状化粧液として使用する、
ことを特徴とする請求項１又は２に記載の顔面被覆用金箔の使用方法。
【発明の詳細な説明】
【技術分野】
【０００１】
本発明は、顔面被覆用金箔、及び、その使用方法に関するものである。
【背景技術】
【０００２】
従来、アンチエイジング（老化防止）や美容への意識の高まりにともなって、アンチエイジング効果や美容効果を謳った化粧料が種々開発されている（例えば、特許文献１参照）。【０００３】
このような中、近年、人体にとって無害な金を用いたアンチエイジングが注目を浴びつつある。これは、金のメカニズム（免疫反応作用、金コロイド作用、及び、イオン交換作用）を利用してアンチエイジングを図ろうとするものである。【０００４】
金を用いたアンチエイジング用品として、金箔を顔面に貼り付けるフェイスパックが知られている。例えば、特許文献２には、金箔の周囲を人間の顔面サイズに打ち抜き形成し、上記顔面サイズの金箔の顔面の目・口位置に打ち抜き穴を、及び、鼻位置に鼻形状の切り込みを、それぞれ打ち抜き形成してなる金箔フェイスパック用のマスクが開示されている。【０００５】
金箔は、一般的に銀と銅とが一定の割合で混合され合金化されている。しかしながら、フェイスパックに用いられる金箔において最適な、金と、銀等の他の金属との混合比率は明らかでない。また、金は高価な材料ゆえ、金箔に混合される銀等の金属の割合が小さいほど、金の割合が大きくなり、金箔の価格が上昇し、化粧料が非常に高価となってしまうという問題がある。【０００６】
また、特許文献２に開示された金箔フェイスパック用のマスクは、金箔を予め人間の顔面サイズに打ち抜き、顔面の目・口位置に打ち抜き穴を、及び、鼻位置に鼻形状の切り込みを、それぞれ打ち抜き形成する必要がある。【０００７】
金箔を所定の形状に打ち抜く方法として、トムソン刃等を使用して打ち抜き機で打ち抜きカッティングする方法が用いられる（特許文献２明細書の段落「００１２」参照）が、人間の顔面の目・鼻・口等の配置位置に沿ったトムソン刃を別途に用意する必要が生じ
る。このため、製造コストが増大してしまうという問題が残る。
【先行技術文献】
【特許文献】
【０００８】
【特許文献１】特開２０１０−２０８９５０号公報
【特許文献２】国際公開番号  ＷＯ２０１０／０５３０６３号公報
【発明の概要】
【発明が解決しようとする課題】
【０００９】
本発明は、上記課題に鑑み創作されたものであり、低廉な金箔を事前の機械加工等が不要に使用しつつ、金を皮膚の奥深くまで浸透させることが可能な、安全性が高く、かつ低コストな顔面被覆用金箔、及び、その使用方法の提供を目的とする。
【課題を解決するための手段】
【００１０】
（１）本発明の顔面被覆用金箔は、純金と、純銀との合金からなる顔面被覆用金箔であって、９４％以上の純金と、６％未満の純銀とからなる２２金、又は９６％以上の純金と、４％未満の純銀とからなる２３金、又は９９．９９％以上の純金と、０．０１％未満の純銀とからなる２４金を材料とする。
尚、詳細には後述するが、純金が９４％〜９６％、純銀が残り６％〜４％、の範囲内にあることが好ましい。【００１１】
（２）上記（１）の顔面被覆用金箔においては、厚さ寸法が、１／１００００［ｍｍ]〜２／１００００［ｍｍ]の範囲内にあることが好ましい。
尚、前記顔面被覆用金箔は、１辺の長さ寸法が概ね１０．９［ｃｍ］の略正方形であることが好ましい。【００１２】
（３）本発明の顔面被覆用金箔の使用方法は、
顔面被覆用金箔を３枚使用して顔面を被覆し、
うち１枚の前記顔面被覆用金箔は略２／３と略１／３とにカットし、
カットしない２枚の前記顔面被覆用金箔のうち１枚により、顔面の一方の目より下を被覆し、
カットしない前記顔面被覆用金箔の残り１枚により、顔面の他方の目より下を被覆し、
略２／３にカットした前記顔面被覆用金箔により、顔面の両目の上から額を被覆し、
略１／３にカットした前記顔面被覆用金箔により、顔面の残りの部分を被覆する、
ことを特徴とする。【００１３】
詳細には後述するが、上記により、略正方形の本発明の顔面被覆用金箔を３枚使用して、顔面全体を被覆しフェイスパックすることが可能となる。【００１４】
（４）本発明の顔面被覆用金箔の使用方法は、
顔面被覆用金箔を上記（３）で使用後、顔面から取り除いた該金箔をコラックス状のクリームに練り込んでクリーム状化粧液として使用する、
ことを特徴とする。
「コラックス」とは、クロルジアゼポキシド塩酸塩の慣用名である。「コラックス状のクリーム」とは、油感のないクリームであって、且つ、半液体状の物質よりも固体状の物質に近いクリームをいう。【００１５】
詳細には後述するが、前記使用方法によれば金をコラックス状のクリームに練り込む過程が含まれるので、ナノ単位若しくはオングストローム単位まで超微粒子化された金粒子が、コラックス状のクリームの中に分散されている。このため、フェイスパックに使用した後の前記顔面被覆用金箔を、無駄なく皮膚の奥深くまで簡単に浸透させることができる。それ故、金のメカニズム（免疫反応作用、金コロイド作用、イオン交換作用）を十分に得ることが可能となる。
【発明の効果】
【００１６】
本発明の顔面被覆用金箔（以下、「フェイスパック用金箔」、又は単に「金箔」とも称する）によれば、強い殺菌力を有する純銀を含有するため殺菌効果を得ることができ、フェイスパック用金箔の保管中に細菌等が繁殖すること等を防止し安全性の向上が可能となる。また、純銀の混合比率を高めるほど、純金の混合比率が低下する。それ故、低廉かつ安全性の高い顔面被覆用金箔を提供し得る。【００１７】
本発明の顔面被覆用金箔の使用方法によれば、事前の機械加工等が不要な略正方形の上記顔面被覆用金箔を使用でき、製造コストの低い上記顔面被覆用金箔によるフェイスパッが可能となる。また、フェイスパックに使用した後の上記顔面被覆用金箔を、無駄なく皮膚の奥深くまで簡単に浸透させることができる。それ故、金のメカニズム（免疫反応作用、金コロイド作用、イオン交換作用）を十分に得ることが可能となる。
【図面の簡単な説明】
【００１８】
【図１】本実施形態に係る顔面被覆用金箔の使用方法の一例を示した説明図であって、図１（ａ）は準備の工程を示し、図１（ｂ）は和紙の間に介在して準備される顔面被覆用金箔を示す略図である。
【図２】本実施形態に係る顔面被覆用金箔の使用方法の一例を示し、金箔を持ち上げる方法を説明するための写真図である。
【図３】本実施形態に係る顔面被覆用金箔の使用方法の一例を示し、持ち上げた金箔をモデルの顔へ移送し、貼り付ける方法を説明するための写真図、及び略図である。
【図４】本実施形態に係る顔面被覆用金箔の使用方法の一例を示し、モデルの顔に貼り付けた金箔の剥離方法を説明するための略図である。
【図５】本実施形態に係る顔面被覆用金箔の使用方法の一例を示し、金とオングストロームクリーム（オング株式会社製）の混合クリームを用いて、モデルの顔に施す仕上げマッサージの方法を説明するための略図である。
【図６】本実施形態に係る顔面被覆用金箔の使用方法の一例を示し、金とオングストロームクリーム（オング株式会社製）の混合クリームを用いて、モデルの首、及びデコルテに施す仕上げマッサージの方法を説明するための略図である。
【図７】（ａ）は、純金を食した被験者等の1回目(A)と2回目(B)の左前頭部の平均周波数を比較した結果であり、（ｂ）は、1回目(A)と2回目(B)の右前頭部の平均周波数を比較した結果である。
【図８】Aにおいて金を食したグループ(G)と食さないグル(N)の左右前頭部の周波数ゆらぎ係数を示した図である。
【図９】Bにおける各グループの左右前頭部の周波数ゆらぎ係数を示した図である。
【発明を実施するための形態】
【００１９】
本発明の顔面被覆用金箔、及び、その使用方法の一実施形態について説明する。
【００２０】
本発明の顔面被覆用金箔は、純金と、純銀とからなるものである。以下、顔面被覆用金箔の成分の作用について詳細に説明する。
【００２１】
［金の作用］
金の作用（免疫反応作用、金コロイド作用、及び、イオン交換作用、脳活動促進作用）を利用して、アンチエイジング効果や美容効果を発揮させることができる。以下では、金の各作用について詳細に説明する。
【００２２】
＜免疫反応作用＞
金は、酸やアルカリに安定した元素のため、アレルギー反応を引き起こすことはほとんどない。しかし、（１）肌の内部に侵入した金は、肌にとっては自己以外の異物である。そのため、血液中に存在し、且つ、あらゆる病原菌や異物等を捕食してくれる免疫細胞・マイクロファージ（Macrophage）を運ぶために、（２）毛細血管が金の周りに伸びてきて、異物を取り除こうとマイクロファージが戦いを繰り返す。そして、マイクロファージの活動で放出された物質が刺激となって、（３）線維芽細胞が自己増殖され、（４）修復の主な材料であるコラーゲン（Collagen）が生み出される。（５）そして、そのコラーゲンに支えられて毛細血管やリンパ（lymph）が発達し、そこへ流れ込む新鮮な血液が、線維芽細胞に栄養や酸素を供給し、更に、コラーゲンの産出を促進するという自己増殖のサイクルが構成される。
【００２３】
＜金コロイド作用＞
金が体内に侵入するとコロイド状になった純金の作用で、あらゆるウイルス等を捕食してくれる免疫細胞・マイクロファージ等の白血球が活性化される。そのため、（１）金が体内の中に存在する限り、金の作用がマイクロファージを常に活性化させる。（２）その結果、免疫細胞である元気なマイクロファージは体内の不要な物質を絶えず捕食する。（３）これにより、体内の古い物質は排除され、新しい物質に生まれ変わり、細胞の新陳代謝が活性化される。
【００２４】
＜イオン交換作用＞
真皮を構成するコラーゲンやエラスチン（Elastin）は、加齢や紫外線を浴びることによって発生する活性酸素の影響で、次第に酸化が進み、硬く収縮し、弛緩していく。その結果、肌の弾力性は失われ、シワが出来やすくなり、タルミが出て来る。また、人間は酸化することによってエネルギーを作り出すため、酸化を止めることは出来ない。これら老化を予防するには、細胞そのものを作り変えて、常に細胞に栄養を与え、規則正しい新陳代謝を繰り返すことが必要となる。しかし、免疫力や酵素合成が低下すると、せっかく体内に取り込んだ栄養を分解することができなくなる。なぜなら、細胞は最も小さく分解された栄養分しか吸収することができないからである。この点、肌の内部に金を侵入させると、（１）金から発生するイオンによってその周辺の活動電位が高まり、（２）今まで自分の力では分解できなかった物質が酵素合成等を手助けするイオン交換によって分解され、（３）栄養素は細胞内へ吸収され、（４）必要のないものは毛細血管を通って排泄される。
【００２５】
＜脳活動活性化効果＞
金は毒がなく、煎じて汁にして飲むことで精神を落ち着かせ、こころを穏やかにする。筋骨を丈夫にし、五臓六牌の邪気を追い出す。長く服用することで体をきれいにして長寿できる。また金はてんかんの治療。風邪による嘆息・咳・噂血・吐血などの治療に効果がある。寝汗・疲労・喉の乾きなどの治療にも用いる。これらが漢方で説明されている内容である。実際に、その効果について被験者に食させた例で検証している（参照図７〜図９）。被験者は、18-60才代の成人65名(男子42名:最年少22才、最年長61才。平均年齢37.1才、女性23名:最年少18才、最年長57才。平均年齢37.才)であり、全員この種の実敦経験は初めてである。服用した純金は1日0.03gを30日間である。図７〜図９における実験は２回に分けて行っており、１回目の実験では金を1カ月食すグループ(G) と、食さないグループ(N)に分けて安静開眼状態で1人ずつ、テーブルに向かって椅子に腰掛け脳波を記録した。第2回目では、さらに金を食し続けるグループ(GG)と、食するのをやめたグループ(GN)、一回目の計測時では食さなかったが、その後食したグループ(NG)、一貫して食さなかったグループ(NN)で1回目と同様の計測を行った。
【００２６】
実時間脳波ゆらぎ計測評価装置を用いて、両耳と額,左腕をアルコールで拭き、汚れや油分を除いたあとに、右耳たぶにアース電極、左耳たぶに基準電極を電極を取り付け、前額部分および左腕にバンド式センサーを巻付ける。脳波は左耳たぶを基準電位として前頭部左右２ケ所（前額部分）の脳波をヘッドバンドセンサーで、一方心電図を左腕に巻いたセンサーにより収集し、実時間でアルファ波のゆらぎ特性（傾斜度）を算出、メモリに記録する。解析はこれらの記録された数値に基づいて行った（詳細はここでは割愛する）。その実験結果を下記に示す。
【００２７】
図７は金（純金）を食した上記被験者の脳波の平均周波数を示している。
1回目の結果はA、2回目はBと称する。図７（ａ）は、1回目(A)と2回目(B)の左前頭部の平均周波数を比較した結果である。A では、統計的には有意ではないが、金を食したグループ(GG、GN)は、食きなかったグループ(NG、NN)より周波数が高い傾向にあった。Bでは、GGとGNの間、GGとNNの間で、有意差が見られ、NGとNNの間でも有意差が見られた。すなわち1回目で金を食さない場合でも、2回目の計測までに金を食した場合は周波数の増加が認められた。一方、図７（ｂ）は、右前頭部の平均周波数を比較した結果である。Aでは、統計、的には有意ではないが、左前頭部と同様、金を食したグループ(GG、GN)は、食きなかったグループ(NG、NN)より周波数が高い傾向にあった。Bでは、左前頭部と同様、GGとGNの間、GGとNNの間で、有意差が見られたが、NGとNNの間では有意差がなかった。これらのことから、金を食し続けることにより、左前頭部が特に活性化することを示唆している、左半球は理性脳であり、知的な活動に効果が期待できる。このことは、顔面に金箔を被膜した場合やその後、その一部を食した場合にも同様に一定の効果があると推察できる。
【００２８】
次に、α波の周波数ゆらぎ係数（スペクトラムの傾斜度）を検証する。
図８は、Aにおいて金を食したグループ(G)と食さないグル(N)の左右前頭部の周波数ゆらぎ係数を示した図である。左右前頭部とも金を食したグループの方がゆらぎ係数が高い。統計検定の結果、左前頭部では有意な差は認められなかったが、右前頭部では有意な差が認められた。左前頭部のゆらぎ係数は気分のよさの程度、右前頭部のゆらぎ係数は覚醒感の程度に呼応して変化することがわかっている。このことから、Aでは、金を食したグループの方が食さないグループよりもリラックスしていることがわかる。このことも顔面に金箔を被膜した場合やその後、その一部を食した場合にも同様に一定の効果があると推察できる。
【００２９】
図９は、Bにおける各グループの左右前頭部の周波数ゆらぎ係数を示した図である。左右前頭部とも金を食したグループ(GG)、Aでは食さなかったが、Bでは食しているグループ (NG)では、ゆらぎ係数が大きい。Aで金を食したがBでは食していないグループ(GN)では、ゆらぎ係数が前者よりは若干小さい傾向にある。一方、AでもBでも金を食していないグループ(NN)ではゆらぎ係数は最も小さかった。このことも顔面に金箔を被膜した場合やその後、その一部を食した場合にも同様に一定の効果があると推察できる。
【００３０】
［銀の作用］
銀の作用（殺菌作用、及び、帯電防止作用）を利用して、安全性の向上効果や本発明の顔面被覆用金箔の取扱いを容易にする効果を発揮させることができる。以下では、銀の各作用について詳細に説明する。
【００３１】
＜殺菌作用＞
銀は極微粒子になることによって触媒作用を起こす。その触媒作用により銀粒子表面で生成される原子状酸素（Atomic Oxygen）が銀表面から離脱して、細菌及びウィルス等に対して殺菌作用を現わすようになる。換言すれば、（１）空気中の酸素が銀粒子に吸い付くようになり、（２）銀との相互作用によって陰電荷を帯びた酸素原子に変化し、（３）この陰電荷を帯びる酸素原子が銀粒子から離れ、（４）細菌及びウイルス等に対する殺菌機能を発揮するようになる。
【００３２】
したがって、本発明の顔面被覆用金箔によれば、使用するまで金箔を清潔に保管することができ、安全性の向上が可能となる。
【００３３】
＜帯電防止作用＞
銀は高い導電性を有する（電気抵抗が小さい）。上記顔面被覆用金箔を取り扱う際に、金箔が静電気を帯電していると、保管時に金箔を挟んでいるシート、例えば和紙から金箔を剥がす際に金箔と、和紙とが静電気により吸着し、フェイスパック用金箔の使用の妨げとなる。銀は高い導電性を有するため、静電気の滞留を防止する作用により、フェイスパック用金箔への静電気の帯電を防止することができる。上記により、フェイスパック用金箔の使用時に、金箔に皺等を生じさせることなく和紙から顔面へ移送することが可能となる。
【００３４】
上述したように、純金と、純銀との合金からなる上記顔面被覆用金箔は安全性が高く、また、純銀の混合比率を高めるほど、純金の混合比率が低下する。それ故、低廉かつ安全性の高い顔面被覆用金箔を提供し得る。
【００３５】
尚、本願発明者は、アンチエイジング用品としてのフェイスパック用金箔では、純金が９４％〜９６％、純銀が残り６％〜４％、の範囲内にあることが好ましい、という知見を得た。
【００３６】
また、上記顔面被覆用金箔においては、厚さ寸法が、１／１００００［ｍｍ]〜２／１００００［ｍｍ]の範囲内にある。上記の寸法とすることにより、後述する本発明の顔面被覆用金箔の使用方法において、フェイスパックに使用した後の上記顔面被覆用金箔をナノ単位若しくはオングストローム単位まで超微粒子化し、その金粒子をコラックス状のクリームの中に分散させることができる。
【００３７】
上記により、金粒子を皮膚の奥深くまで簡単に浸透させることができる。それ故、上述した金のメカニズム（免疫反応作用、金コロイド作用、イオン交換作用）を十分に得ることが可能となる。また、金粒子を含有した上記コラックス状のクリームを、別途に金箔を使用することなく得ることができ、経済的観点からもユーザにとって有益である。
【００３８】
[本実施形態に係る顔面被覆用金箔の使用方法について]
本実施形態に係る顔面被覆用金箔の使用方法の一例について、上記顔面被覆用金箔の準備の工程を説明するための上面視略図、及び、側面視略図である図１（ａ）、及び、シート、一例として和紙の間に介在して準備される顔面被覆用金箔を示す上面視略図である図１（ｂ）を用いて説明する。ここでは、本実施形態に係る金箔を使用したフェイスパックについて説明する。
【００３９】
尚、本願発明者は、上記顔面被覆用金箔は、１辺の長さ寸法が概ね１０．９［ｃｍ］の略正方形であることが好ましく、詳しくは後述するが、本発明の顔面被覆用金箔の使用方法において、上記寸法の顔面被覆用金箔を３枚使用することにより、人間の顔面全体を被覆することが可能である、という知見を得た。
【００４０】
金箔には１０．９［ｃｍ］角、１２．７［ｃｍ］角、１５．８［ｃｍ］角、２１．２［ｃｍ］角の４種類がある。このため、上記した１０．９［ｃｍ］の略正方形の金箔を切断するための、箔の切断器である「枠」を特別に準備する必要がない。上記は、低廉な顔面被覆用金箔を提供するために有利である。
【００４１】
《本実施形態に係る顔面被覆用金箔の使用前の準備について》
まず、図１（ａ）に示すように、金箔１０を３枚（１セット）準備する。ここでの金箔は、本発明の顔面被覆用金箔を用いることが好ましい（工程１）。また、金箔１０は、図１（ｂ）に示すようにシート、一例として和紙１５の間に介在して準備される。
【００４２】
次に、３枚準備したうちの１枚の金箔１０ａを、和紙１５とともに略２／３と、略１／３とにカットする（工程２）。その後、５〜１０セット分の金箔のうち、少なくとも略１／３にカットされた金箔１１は５〜１０枚を重ねて準備される（工程３）ことが好ましい。これは、詳しくは後述するが、カットされた金箔を和紙１５から人間の顔面に移送する際の作業性を向上するためである。略２／３にカットされた金箔１２も、同様に５〜１０枚を重ねて準備されても良い。
【００４３】
上記工程１〜３により、図１（ａ）に示すように、金箔１０の３枚（１セット）から、カットしない２枚の金箔１０と、略１／３にカットされた１枚の金箔１６と、略２／３にカットされた１枚の金箔１７とが準備される。また、少なくとも略１／３にカットされたと１枚の金箔１６は、５〜１０枚を重ねて準備される。図１（ａ）は、金箔１６、及び、金箔１７が各々５枚重ねられた状態を示す。
【００４４】
尚、上記では顔面被覆用金箔１０を３枚１セットとして準備することとしたが、この方法に限定されるものではない。一例として、和紙１５と金箔１０とが交互に積層された金箔１０の１単位、例えば１００枚を準備し、予め５〜１０枚を上述したようにカットしておき、カットしない２枚の金箔１０は、上記の和紙１５と交互に積層された１単位の金箔の残りから用いること等としても良い。
【００４５】
換言すれば、３枚を１セットで使用する金箔１０のうち、カットして使用する金箔１枚（１０ａ）は和紙等のシートとともに略２／３と、略１／３とにカットされ、少なくとも略１／３にカットされた金箔１１は、後の工程の作業性向上のため５〜１０枚が和紙１５の間に介在して重ねて準備される。また、カットせず使用する金箔２枚（１０）は、和紙１５の間に介在してそれぞれ金箔１０の、少なくとも上面に和紙１５等のシートが配置された状態で準備される。
【００４６】
上記では金箔１０ａと、和紙１５とを１組ずつカットし、その後、略１／３にカットされた金箔１１、及び、略２／３にカットされた金箔１２を５〜１０枚を、金箔１０とともに略１／３にカットされた和紙１６、及び、略２／３にカットされた和紙１７を介在させて重ねて準備することとしたが、この方法に限定されるものではなく、例えば複数の金箔１０ａと、和紙１５とを重ねて同時にカットする等しても良い。
【００４７】
また、金箔１０と和紙１５等のシートをカットする手段は、手でも良いし、はさみ等の道具（図示せず）を用いても良い。
【００４８】
《本実施形態に係る顔面被覆用金箔のモデルの顔面へのパックについて》
本実施形態に係る顔面被覆用金箔１０を用いたフェイスパックについて説明する。このフェイスパックは、技術者がマスクを着用した状態で行われることが好ましい。これにより、フェイスパックの実施中に、技術者の呼吸等により金箔１０が乱れることを防止できる。
【００４９】
まず、エッセンス（図示せず。植物から抽出した精油等）をモデル（図示せず）の顔全面へ塗り広げる。このエッセンスは、予め化粧水や保湿クリームで与えられたモデルの皮膚の潤いを持続させるとともに、モデルの顔面と、金箔１０、１１、１２との密着を補助する役目を兼ねる。
【００５０】
次に、図１（ａ）に示すカットしない２枚の顔面被覆用金箔１０と和紙１５のうち１枚を、以下の手順によりモデルの顔の左目の下から、顔の左半分に移送する。以下に、その方法を図２〜図３を参照しつつ詳細に説明する。
【００５１】
まず、図２（ａ）に示すように、積層された和紙１５と、その下金箔１０との四つ角のうち一つの角を自分へと向けて置く。次に、和紙１５と、その下の金箔１０の端を親指と、人差し指とで山折にしてつまむ。
【００５２】
次に、同じ手の中指と、薬指とで和紙１５と、金箔１０とを略鉛直下方へ押さえ、端をつまんだまま、手首を掌が鉛直上方を向く方向に回転させ（図２（ｂ）参照）、技術者の元へ引き寄せ、金箔１０を和紙１５ですくうようにして持ち上げる。
【００５３】
次いで、反対側の端を別の手で軽く持ち、図２（ｃ）に示すように、両手の指の背を合わせるように和紙１５と、その下の金箔１０とを折り畳む。上記が基本姿勢となる。
【００５４】
次に、技術者の両手首を、掌が鉛直上方へ向く方向へ回転させ、和紙１５の上に金箔１０がある状態で、和紙１５と、金箔１０とをモデルの顔まで移動する。
【００５５】
一般に、金箔の取扱いには静電気を帯び難い竹製の「竹箸」や、箔打紙（和紙）で作られ、人差し指に挿して用いる「天狗爪」等、特別な道具が必要となる。しかしながら、上述した方法によれば、「竹箸」や「天狗爪」等の特別な道具を用意することなく、金箔を乱れさせずに和紙と一体に容易に扱うことが可能となる。
【００５６】
次に、モデルの視線を上（眉毛の方向）へ誘導し、技術者は上述した基本姿勢から、金箔１０の一辺をモデルの目の下に合わせ、顔の左半分から金箔１０を貼っていく。折り畳まれた金箔１０の中心がモデルの黒目の下に位置するように貼る。図３（ａ）に示すように、技術者は、モデルの鼻の付け根を左手の中指で押さえ、鼻の側面に指を添える。金箔１５を上記鼻の側面に指で固定した状態で、金箔１０の四つ角をモデルの顔に貼る。
【００５７】
上記の状態で、上記技術者は、金箔１０を軽く押さえ、モデルの鼻にのせた金箔１０は鼻の形に合わせて切除し、ゆっくりと手を話す。次に、和紙１５を軽く略半分に折り曲げ、モデルの呼吸により浮いた鼻の穴に位置する金箔１０を、押さえるように除去する。
【００５８】
次に、技術者は和紙１５を広げて親指で挟むように持ち、モデルの顔の凹凸に応じて金箔１０を軽く押さえていく。このとき、和紙１５から技術者の手指が露出していると、金箔１０が技術者の手指に付着してしまう。したがって、技術者は手指の露出を減らすようにする。
【００５９】
上記で、モデルの顔の左半分の目から下への金箔１０の貼り付けが完了する。次に、同様な手順を繰り返し、モデルの顔の右半分の目から下へ、金箔１０を貼り付ける。
【００６０】
尚、上記では最初にモデルの顔の左半分の目から下へ金箔１０を貼り付け、次にモデルの顔の右半分の目から下へ金箔１０を貼り付けることとしたが、この方法に限定されるものではなく、例えば順序は逆でも良いし、複数の技術者により、金箔１０を左右同時に貼り付けても良い。
【００６１】
次に、モデルに目を閉じてもらい、技術者は、予め略２／３にカットされた和紙１７と、その下金箔１４とを、上記で図２を用いて説明したのと同じ要領で手に取り、モデルの顔を略鉛直上方から覗き込むように確認しながら、モデルの目の上から額にかけて貼っていく。このとき、金箔１７の長辺の一方が、モデルのまつげに重なるように貼り付ける。
【００６２】
次に、技術者は、上記でモデルの目から下へ金箔１０を貼り付けたときと同じ要領で、和紙１７を親指で挟むように持ち、モデルの顔の凹凸に応じて金箔１４を軽く押さえていく。
【００６３】
次に、モデルの顔のまだ金箔の貼られていない、細かい部分等に金箔を貼る。
【００６４】
まず、技術者は、予め略１／３にカットされた和紙１６と、金箔１１とが５〜１０枚、重ねて準備されたものを、略長方形の和紙１６と、金箔１１との長辺を片手の掌にのせ、親指と、その他の指とで挟むように保持する。一番上の和紙１６の短辺をめくり、１枚の金箔１１を使用する分だけ短辺側から露出させる。
【００６５】
次に、露出させた金箔１１をモデルの右目の横部分に貼り、軽く押さえる。金箔１１は引張ると切断できるので、上記で金箔１１を右目の横部分に貼り、軽く押さえた状態で技術者は手を顔の外側へ移動させ、金箔１１をカットする。
【００６６】
上記で使用した金箔１１の反対側の短辺を、上記と同じ要領でモデルの左目の横に貼っていく。
【００６７】
上記と同じ要領で、残りの金箔１１を用いて、鼻筋のつなぎ目や顎先等の細かい部分に金箔を貼っていく。以上により、モデルの顔全面を、３枚の金箔１０によりパックする工程が完了する。
【００６８】
尚、上記では予め略１／３にカットされた金箔１１により、最初に右目の横、次に左目の横、最後にその他の箇所をパックして顔全体をパックすることしたが、順番は上記に限定されない。また、３枚の金箔１０を用いても隙間が生じた場合は、金箔１０〜１１を貼り足してモデルの顔全体をパックしても良い。
【００６９】
次に、上記で貼った金箔をモデルの顔に密着させるため、技術者はモデルの目元を手で覆い、化粧水を３０〜４０[ｃｍ]離した位置から徐々にモデルの顔に近づけながら顔全体に噴霧する。その後、フェイスライン（顔の輪郭）から額へ向かって顔の肌全体を手で包み込み、化粧水と、金箔とをモデルの肌に密着させる。
【００７０】
上記の状態で１５〜２０[分]を目安に、モデルを静置する。次に、モデルの顔に貼り着られた金箔を剥がす工程に移る。以下、その工程について図４（a）（ｂ）、図５（a）を用いて詳述する。まず、技術者は、金箔が貼り付けられたモデルの目が閉じられていることを確認したうえで、貼り付けた金箔全体に水泡が乗る程度の化粧水を噴霧する。このとき、金箔が濡れていることを視認または軽く触れる程度で確認することが求められる。
【００７１】
次に、オングストロームクリーム（オング株式会社製）を左手の平に取って右手親指で軽く練り、入念に両手へ馴染ませる。鼻根部から鼻尖部の方向に向かってモデルの顔に貼り付けられた金箔を順次剥がしていく（符号２０参照）。なお、オングストロームクリームは一般的な化粧用に用いられる扁平板状のヘラを使用して、左手の平に取ることが推奨される。
【００７２】
次いで、鼻右側面に施術者の親指をあて、その状態で右下瞼に沿って右目尻まで親指をスライドさせることによって金箔を剥がしていく（符号２２参照）。このとき、親指の根元まで充分なオングストロームクリームが馴染んでいることを確認しなければならない。また、親指は顔に対して所定以上の傾斜角を保持しながらヘラの様にして動かす必要がある。とりわけ、指の先端だけを下瞼にあてて動かすことが望ましい。
【００７３】
また、右頬に貼り付けられた金箔についても上記と同じ要領で、鼻右側面から右方向に親指を動かして金箔を剥がしていく（符号２４参照）。この工程を下方に反復して右頬全体の金箔を剥がしていくこととなる（左頬の金箔の剥がし方とは異なる）。
【００７４】
次に、鼻左側面に親指を移動させ、上述してきた要領で左下瞼に沿って左目尻まで金箔を剥がす。ここで、左頬全体の金箔の剥がし方はこれまで親指を横移動させてきた工程とは異なる工程が付与されることに留意する。具体的には、親指を左目の下瞼から顎方向（下方向）にシェービンを行う要領で親指先端をスライドさせ、左頬全体の金箔を剥がす。この工程を縦方向に反復して左頬全体の金箔を剥がしていくこととなる（符号２６参照）。
【００７５】
上記までの工程を以て、モデルの左右下瞼から頬全体の金箔を剥がし終える。
当該工程までに剥がし取った金箔を、剥ぎ取った手の逆の手の平に集める。次いで、左口角の下から右口角の下に向かって親指をスライドさせて顎全体の金箔を剥がし（符号２８参照）、同じ要領で、左の鼻唇溝から右の鼻唇溝に向かって親指をスライドさせ、鼻下の金箔を剥がす（符号３０参照）。
【００７６】
上記までの工程で取り残したモデルの鼻周辺の金箔を剥がし（符号３２参照）、この工程までに剥がし取った金箔を逆の手の平に移す。次に、モデルの額の左上端に親指をあて、額の右上端へ親指を横方向にスライドし、同じ要領で親指のスライド位置を少しずつ下げながら繰り返し、眉までの金箔を全て剥がす（符号３４参照）。そして、眉間に親指をあて、上から下へとスライドさせて金箔を剥がす（符号３８参照）。
【００７７】
次いで、右上瞼を眉方向へ軽く引き上げ、内眼角から外眼角へ向かって親指をスライドさせ、金箔を剥がす（符号４０参照）。このとき、瞼の皮膚は非常にデリケートである為、１〜２回の繰り返しで完了しなければならない。上記と同様な手順を繰り返し、モデル左上瞼の金箔を剥がす（符号４２参照）。
【００７８】
次いで、モデルが閉じていた瞼を開け、視線を上方向へ向ける様に誘導し、左右の下瞼に残っている金箔を取り除く。その後、該工程までに剥がし取った金箔を逆の手の平に移す。
【００７９】
次に、モデルの顔の角度を左右に少しずつ変更させ、顔全体を確認しながら取り残した小さな金箔を取り除く。尚、再度、後の工程で金を塗込むため、顔に多少の金箔が残っていてもよい。また、唇の金箔はモデルに食べてもらうため、残しておく。
【００８０】
さらに、仕上げのマッサージを行う工程に移る。以下、その工程について図５（ｂ）、図６（a）（ｂ）を用いて詳述する。まず、上記までの工程で剥がした金を手の平の窪みに集め、該金の半分程度の量のオングストロームクリームを加える。
【００８１】
上記の金とオングストロームクリームとを、両手の平を合わせて包み込み、金が薄膜の形状を失いオングストロームクリームに溶け始めるまで細かく擦り合わせる。このとき、空気もオングストロームクリームに混入されることが望ましいため、該工程は圧をかけてはならない。
【００８２】
続いて、徐々に両手の平に圧を加えながら、擦り合わせるストロークを大きくし、完全に金がオングストロームクリームへ溶け込むまで入念に擦り合わせる。
【００８３】
上記の工程を経た、金とオングストロームクリームとの混合クリーム（以下、混合クリーム）を手の平に適量取り、残りは手の甲へ移す。手の平の混合クリームに少量のEGFエッセンスに化粧水を混ぜ合わせることで作製した薄め液（以下、薄め液）を６回〜８回プッシュし、軽く馴染ませる。なお、顔へのマッサージは、混合クリームに必ず薄め液を所定以上足して使用しなければならない。
【００８４】
上記の工程によって薄めた混合クリームをモデルの顎先から顔全体へ乗せる施術に移行する。このとき、モデルの肌に混合クリームの金を入れ込みながら、モデルの肌から金を剥がす上記工程で取り残した金も回収することとなる。
【００８５】
まず、モデルの顎先に右手をあて、モデルの右フェイスラインを引き上げる様に顎先から右耳元までを３回縦方向に撫で（符号４６参照）、その後、同様の手順により左手を用いてモデルの左フェイスラインを３回撫でる（符号４８参照）。続いて、右手の指先をモデルの鼻下中央と唇の下にあて、指をあてた位置から右の口角方向に３回撫で（符号５０参照）、同様の手順により左手の指先を用いてモデルの鼻下中央と唇の下から左の口角を３回撫でる（符号５２参照）。
【００８６】
次に、モデルの右頬に右手の平をあて、手の平全体を用いてモデルの右頬を持ち上げる様に３回撫でた後（符号５４参照）、同様の手順により左手の平を用いてモデルの左頬を３回撫でる（符号５６参照）。続いて、モデルの鼻尖部に左右どちらかの手の指をあて、モデルの鼻筋を眉間に向かって縦方向に３回撫でる（符号５８参照）。
【００８７】
次に、モデルの額に右手の平をあて、手の平全体を用いてモデルの額に混合クリームを馴染ませる様に撫でた後、同様の手順により左手の平を用いてモデルの額を撫でる（符号６０参照）。この手順はモデルの額を包み込む様に片手ずつ交互にあて、３回繰り返す。続いて、モデルの両瞼を左右どちらかの手の指先を用いてゆっくり撫でた後、モデルの顔に取り残した細かい金箔を、人差し指を用いて取り除く。
【００８８】
上記までの工程によって、モデルの顔に施術する仕上げのマッサージが完了する。上記工程におけるマッサージは、混合クリームを強くすり込まず、優しく滑らせる様に撫でる必要がある。次に、すでに手の甲に移しておいた混合クリームを逆の手の指を用いて手の平へ移動させ、薄め液を６回〜８回プッシュし、軽く馴染ませる。薄めた混合クリームをモデルの首、デコルテ、両耳、両手に乗せる。
【００８９】
まず、モデルの顎下に右手をあてて胴の方向に６回撫で下ろし、同様の手順により左手を用いて６回撫で下ろす。続いて、モデルの首に右手の平をあて、手の平全体を用いて円を描きながら６回揉みほぐし、同様の手順により左手の平を用いて６回揉みほぐす（符号６６参照）。該工程は左右の手で６回ずつ揉みほぐすことを２回繰り返す。
【００９０】
次に、親指の付け根を用い、モデルの鎖骨下から脇にかかる部位を圧迫しながら大きな円を描くように時計回り、半時計回りを交互で３回揉みほぐしながら混合クリームの金をデコルテにすり込んでいく（符号７０参照）。続いて、指先を用いてモデルの耳に所在する目のツボ、腰のツボ、肩のツボを中心に約１分間マッサージしながら、モデルの耳全体に混合クリームの金をすり込んでいく。
【００９１】
次に、モデルの右隣に移動し、両手の指先でモデルの右手の平に所在する複数のツボをマッサージしながら混合クリームの金をすり込んでいく。このとき、施術後にマッサージの効果を比較してもらうため、モデルの右手のみに施術を行う。また、該工程でモデルの鼻の下、または顎等に金箔が残っていないか目視による確認を並行して行うものとする。
【００９２】
次に、指先にEGFエッセンスを１滴とり、指先のみを用いてモデルの目元、頬、鼻筋を中心に顔の中央から外側へ向けて指を動かし、顔全体へ薄く広げていく。なお、EGFエッセンスは浸透し易いため、手の平ではなく必ず指先で施術する必要がある。また、生え際等に金が付着したまま残っていた場合は、タオル等の布を用いて強い摩擦が生じない様に軽く拭き取る。モデルに金箔の取り残しがないことを確認したら、モデルの唇に残っている金箔を食べてもらう様に促す。
【００９３】
上記の工程を以て、全ての施術が完了となる。すり込んだ金とEGFエッセンスを充分に肌へ浸透させる為、施術終了後もモデルに５分間以上、肌へ触れない様に伝える。
【００９４】
以上、本発明の具体的な実施の形態およびこれに関する技術・施術方法について説明してきた。この説明からも理解されるように本発明は、低廉な金箔を事前の機械加工等が不要に使用しつつ、金を皮膚の奥深くまで浸透させることが可能な、安全性が高く、かつ低コストな顔面被覆用金箔、及び、その使用方法の提供される。
【００９５】
なお、上述する実施の形態に示す構成等は、本発明を例示したものであって、本発明の特許請求の範囲および本明細書からその他の改良例や変形例が存在することを当業者は容易に理解できるであろう。
【符号の説明】
【００９６】
１０、１０a…金箔
１１…略１/３にカットされた金箔
１２…略２/３にカットされた金箔
１５…シート（和紙）
１６…略１/３にカットされた和紙
１７…略２/３にカットされた和紙
２０…鼻筋の金箔剥離
２２…右下瞼の金箔剥離
２４…右頬の金箔剥離
２６…左頬の金箔剥離
２８…顎の金箔剥離
３０…鼻下の金箔剥離
３２…鼻周辺の金箔剥離
３４…額の金箔剥離
３８…眉間の金箔剥離
４０…右上瞼の金箔剥離
４２…左上瞼の金箔剥離
【図１】
0006010745.tif 000002
【図２】
0006010745.tif 000003
【図３】
0006010745.tif 000004
【図４】
0006010745.tif 000005
【図５】
0006010745.tif 000006
【図６】
0006010745.tif 000007
【図７】
0006010745.tif 000008
【図８】
0006010745.tif 000009
【図９】
0006010745.tif 000010